(57)【特許請求の範囲】
【請求項１】
互いに合わせられる一対の合わせ面を含み、電気コネクタから当該電気コネクタの外部に向けて延びるケーブルを挟むように互いに組み合わされる一対の分割体と、
前記ケーブルの所定の曲げ部を収容する曲げ通路部を含み、一対の前記分割体内に設けられて前記ケーブルの少なくとも一部を収容するケーブル通路と、
前記分割体に設けられ、前記曲げ通路部における前記ケーブルの進行方向に沿って曲面状に延び且つ前記曲げ部における曲げの内側部分を受けることが可能に構成された受け部と、
前記ケーブルが収容されたコルゲートチューブを保持するためのチューブ保持部と、
を備え、
前記ケーブルは、前記電気コネクタに隣接する第１直線状部と、当該第１直線状部に連続する前記曲げ部と、当該曲げ部に連続するとともに前記曲げ部から離隔する部分において前記コルゲートチューブに収容される第２直線状部と、を有し、
前記受け部は、一対の前記分割体のうち何れか一方の前記分割体に設けられ、
前記受け部は、その一部が一対の前記分割体のそれぞれの前記合わせ面が互いに対向する対向方向において、一方の前記分割体の前記合わせ面よりも出っ張った状態で設けられており、
前記受け部は、一方の前記分割体に設けられるとともに前記ケーブルを受ける保持凹部の前記ケーブル側を向く内側面に含まれており、
前記保持凹部は、前記対向方向において窪んだ形状を有しており、
前記受け部は、前記ケーブルの前記進行方向に沿って、前記曲げ部を受ける曲線状部と、前記第２直線状部を受ける直線状部と、を含んでおり、
前記曲線状部のうち前記チューブ保持部側の端部が、前記直線状部に連続していることを特徴とする、ケーブルカバー。
【請求項２】
請求項１に記載のケーブルカバーであって、
前記受け部は、前記合わせ面の位置から前記ケーブル通路の内側に進んだ箇所に配置されていることを特徴とする、ケーブルカバー。
【請求項３】
請求項１または請求項２に記載のケーブルカバーであって、
前記受け部は、一対の前記分割体のうち何れか一方の前記分割体に設けられた柱部に形成されており、
一対の前記分割体のうち他方の前記分割体には、一対の前記合わせ面が互いに合わされた状態において前記柱部と嵌合される嵌合孔部が、形成されていることを特徴とする、ケーブルカバー。
【請求項４】
請求項３に記載のケーブルカバーであって、
前記柱部は、前記嵌合孔部に圧入固定されていることを特徴とする、ケーブルカバー。
【請求項５】
請求項１〜請求項４の何れか１項に記載のケーブルカバーであって、
前記ケーブル通路の一部を区画する通路区画部をさらに備え、
前記通路区画部は、一対の前記分割体のうち何れか一方の前記分割体に形成された凸部と、一対の前記分割体のうち何れか他方の前記分割体に形成され前記凸部に嵌合する凹部と、を含んでいることを特徴とする、ケーブルカバー。
【発明の詳細な説明】
【技術分野】
【０００１】
本発明は、電気コネクタから延びるケーブルに設けられるケーブルカバーに関する。
【背景技術】
【０００２】
電気コネクタに取り付けられるコネクタカバーが知られている（たとえば、特許文献１参照）。コネクタカバーは、電気コネクタのハウジングから延びる電線の向きを、たとえば９０°変更させるために用いられる。特許文献１に記載のカバーは、電気コネクタのハウジングに取り付けられる。
【０００３】
カバーは、一対の分割体を有している。これら一対の分割体が、電気コネクタのハウジングの一端部を挟むように互いに組み合わされることで、カバーが形成されている。電気コネクタから延びる電線は、カバー内に形成された通路を通っている。特許文献１に記載のカバー内では、電線は、約９０°曲げられており、Ｌ字状に延びている。そして、カバーの出口には、コルゲートチューブが取り付けられている。コルゲートチューブは、一対の分割体に挟まれることでカバーに取り付けられている。電線は、コルゲートチューブを通ってカバーの内部からカバーの外部へと延びている。電線のうち、コルゲートチューブの一端が配置されている箇所の近傍に、電線保護リブが設けられている。
【０００４】
電線保護リブは、一方の分割体に設けられており、他方の分割体に向けて延びている。一対の分割体が組み合わされる前の状態において、電線は、一方の分割体内に配置される。また、コルゲートチューブの一端が、一方の分割体に沿わされる。そして、この状態で、他方の分割体が、一方の分割体に組み合わされる。これにより、電線と、コルゲートチューブの一端とが、カバー内に収容される。そして、コルゲートチューブの一端は、カバーに挟まれる。また、電線は、電線保護リブによって、コルゲートチューブの一端とカバーとによって挟まれる位置に到達することを抑制されている。これにより、電線が分割体とコルゲートチューブとの間に挟み込まれることを抑制されている。また、電線が電線保護リブに受けられた状態で、一対の分割体が互いに組み合わされる。これにより、一対の分割体の合わせ面間に電線が挟まることを抑制できる。上記の構成により、断線を抑制している。
【先行技術文献】
【特許文献】
【０００５】
【特許文献１】特許第５６６４９２１号明細書
【発明の概要】
【発明が解決しようとする課題】
【０００６】
しかしながら、特許文献１に記載の電線保護リブは、電線の曲がっている部分に向けて尖った形状に形成されており、電線と接触したときに、電線に大きな負荷が作用し易い。特に、電線に引張力が作用した場合などにおいて、電線が電線保護リブに強く当てられると、電線に大きな負荷が作用する。
【０００７】
本発明は、上記実情に鑑みることにより、ケーブルカバーにおいて、ケーブルカバーの組立時にケーブルを噛み込むことを抑制するとともに、ケーブルカバー内においてケーブルに作用する負荷を低減することを目的とする。
【課題を解決するための手段】
【０００８】
（１）この発明のある局面に係るケーブルカバーは、互いに合わせられる一対の合わせ面を含み、電気コネクタから当該電気コネクタの外部に向けて延びるケーブルを挟むように互いに組み合わされる一対の分割体と、前記ケーブルの所定の曲げ部を収容する曲げ通路部を含み、一対の前記分割体内に設けられて前記ケーブルの少なくとも一部を収容するケーブル通路と、前記分割体に設けられ、前記曲げ通路部における前記ケーブルの進行方向に沿って曲面状に延び且つ前記曲げ部における曲げの内側部分を受けることが可能に構成された受け部と、を備えている。
【０００９】
この構成によると、一対の分割体が互いに組み合わされる際、ケーブルは、受け部に受けられた状態で、一対の分割体内に配置されることが可能である。これにより、一対の分割体が互いに組み合わされる際、一対の合わせ面の間にケーブルが配置されてしまうことを抑制できる。よって、ケーブルカバーの組立時にケーブルが噛み込まれてしまうことを抑制できる。また、受け部は、曲げ通路部におけるケーブルの進行方向に沿って曲面状に延び且つ曲げ部における曲げの内側部分を受けることが可能に構成されている。このように、受け部は、ケーブルの曲げ形状に沿って延びるように配置される。よって、ケーブルと受け部とが接触したときにおいて、受け部は、ケーブルの曲げ部のより広い範囲を受けることができるので、ケーブルの曲げ部に高い応力が生じることを抑制できる。これにより、受け部からケーブルに作用する負荷を低減できる。以上の次第で、ケーブルカバーにおいて、ケーブルカバーの組立時にケーブルを噛み込むことを抑制するとともに、ケーブルカバー内においてケーブルに作用する負荷を低減できる。
【００１０】
（２）好ましくは、前記受け部は、一対の前記分割体のうち何れか一方の前記分割体に設けられ、前記受け部は、一対の前記分割体のそれぞれの前記合わせ面が互いに対向する対向方向において、一方の前記分割体の前記合わせ面から突出している。
【００１１】
この構成によると、一対の分割体が互いに組み合わされる際、比較的早いタイミングで、受け部が他方の分割体側の空間に進入することとなる。これにより、一対の合わせ面が互いに合わせられるタイミングよりも早いタイミングで、受け部が、一対の合わせ面間へのケーブルの進入を抑制する障壁として機能することができる。その結果、一対の合わせ面によってケーブルが挟まれてしまうことを、より確実に抑制できる。
【００１２】
（３）好ましくは、前記受け部は、前記合わせ面の位置から前記ケーブル通路の内側に進んだ箇所に配置されている。
【００１３】
この構成によると、受け部は、合わせ面からより離隔された箇所において、ケーブルを受けることができる。これにより、ケーブルが一対の合わせ面間に挟まれることを、より確実に抑制できる。
【００１４】
（４）好ましくは、前記受け部は、一対の前記分割体のうち何れか一方の前記分割体に設けられた柱部に形成されており、一対の前記分割体のうち他方の前記分割体には、一対の前記合わせ面が互いに合わされた状態において前記柱部と嵌合される嵌合孔部が、形成されている。
【００１５】
この構成によると、一対の合わせ面が互いに合わされた状態において、受け部が形成された柱部は、嵌合孔部に嵌合される。すなわち、一対の分割体が正常に組み合わされたときに、柱部が嵌合孔部に嵌合されることとなる。一方、一対の分割体の合わせ面間にケーブルが挟まったときなどにおいては、一対の分割体を正常に組み合わせることができず、柱部が嵌合孔部に対して正規の位置での嵌合を不能となる。よって、柱部と嵌合孔部との嵌合状態の確認を通じて、一対の分割体が正常に組み合わされているか否かを、たとえば作業員が目視で確認できる。すなわち、一対の合わせ面の間にケーブルが噛み込まれるなどの不正常な組み付け状態が発生した場合に、この不具合を、より確実に作業員に報知できる。
【００１６】
（５）より好ましくは、前記柱部は、前記嵌合孔部に圧入固定されている。
【００１７】
この構成によると、受け部が形成されている柱部と嵌合孔部との嵌合によって、一対の分割体の結合強度をより高くできる。
【００１８】
（６）好ましくは、前記ケーブルカバーは、前記ケーブル通路の一部を区画する通路区画部をさらに備え、前記通路区画部は、一対の前記分割体のうち何れか一方の前記分割体に形成された凸部と、一対の前記分割体のうち何れか他方の前記分割体に形成され前記凸部に嵌合する凹部と、を含んでいる。
【００１９】
この構成によると、凸部と凹部との嵌合によって、一対の分割体の結合強度をより高くできる。また、凸部と凹部との嵌合によって、一対の分割体のうち、互いに接触する部分をより多くできる。これにより、一対の分割体間で振動が生じることをより確実に抑制できる。よって、特に、振動が生じる箇所に好適なケーブルカバーを実現できる。
【発明の効果】
【００２０】
本発明によると、ケーブルカバーにおいて、ケーブルカバーの組立時にケーブルを噛み込むことを抑制するとともに、ケーブルカバー内においてケーブルに作用する負荷を低減できる。
【図面の簡単な説明】
【００２１】
【図１】本発明の一実施形態に係るコネクタユニットの斜視図であり、ケーブルの図示を省略している。
【図２】コネクタユニットの一部を示す正面図である。
【図３】コネクタユニットの一部を示す側面図である。
【図４】コネクタユニットの底面図である。
【図５】コネクタユニットの斜視図であり、ケーブルの一部の図示、および、ケーブルカバーの第２分割体の図示を省略している。
【図６】コネクタユニットの側面図であり、ケーブルの一部の図示、および、ケーブルカバーの第２分割体の図示を省略している。
【図７】コネクタユニットの背面図であり、ケーブルカバーの第２分割体の図示を省略している。
【図８】図２のＶＩＩＩ−ＶＩＩＩ線に沿う断面図である。
【図９】図３のＩＸ−ＩＸ線に沿う断面図である。
【図１０】ケーブルカバーの第１分割体の斜視図である。
【図１１】ケーブルカバーの第２分割体の斜視図である。
【図１２】ケーブルカバーの第２分割体の側面図である。態を示す断面図である。
【発明を実施するための形態】
【００２２】
以下、本発明を実施するための形態について図面を参照しつつ説明する。尚、本発明は、電気コネクタから延びるケーブルの少なくとも一部を覆うケーブルカバーとして、種々の用途に広く適用することができる。
【００２３】
図１は、本発明の一実施形態に係るコネクタユニット１の斜視図であり、ケーブル３ａ，３ｂ，３ｃの図示を省略している。図２は、コネクタユニット１の一部を示す正面図である。図３は、コネクタユニット１の一部を示す側面図である。図４は、コネクタユニット１の底面図である。図５は、コネクタユニット１の斜視図であり、ケーブル３ａ，３ｂ，３ｃの一部の図示、および、ケーブルカバー４の第２分割体２２の図示を省略している。
【００２４】
図６は、コネクタユニット１の側面図であり、ケーブル３ａ，３ｂ，３ｃの一部の図示、および、ケーブルカバー４の第２分割体２２の図示を省略している。図７は、コネクタユニット１の背面図であり、ケーブルカバー４の第２分割体２２の図示を省略している。図８は、図２のＶＩＩＩ−ＶＩＩＩ線に沿う断面図である。図９は、図３のＩＸ−ＩＸ線に沿う断面図である。図１０は、ケーブルカバー４の第１分割体２１の斜視図である。図１１は、ケーブルカバー４の第２分割体２２の斜視図である。図１２は、ケーブルカバー４の第２分割体２２の側面図である。
【００２５】
図１〜図５を参照して、コネクタユニット１は、たとえば、電源回路（図示せず）と、電源（図示せず）とを接続するために用いられる。コネクタユニット１は、図示しない相手側コネクタに接続されることで、上記の電源回路と電源とを電気的に接続するように構成されている。また、コネクタユニット１は、振動および水分の少なくとも一方を受ける箇所への配置に好適な構成を有している。
【００２６】
コネクタユニット１は、たとえば、自動車のエンジンルームなどに配置される。本実施形態のコネクタユニット１は、当該コネクタユニット１の組立時における不具合としてのケーブル噛み込みを抑制することが可能に構成されている。
【００２７】
コネクタユニット１は、電気コネクタ２と、複数のケーブル３ａ，３ｂ，３ｃと、ケーブルカバー４と、コルゲートチューブ５と、を有している。
【００２８】
なお、本実施形態では、ケーブルカバー４の長さ方向Ｘ１を、単に「長さ方向Ｘ１」という。また、ケーブルカバー４の高さ方向Ｙ１を、単に「高さ方向Ｙ１」という。また、ケーブルカバー４の厚み方向Ｚ１を、単に「厚み方向Ｚ１」という。また、特に説明無き場合、電気コネクタ２にケーブルカバー４が取付けられた状態を基準として説明する。
【００２９】
電気コネクタ２（以下、単にコネクタ２ともいう）は、たとえば、電源回路に電気的に接続された相手側電気コネクタ（図示せず）と接続されるとともに、ケーブル３ａ，３ｂ，３ｃを介して電源に接続されるように構成されている。コネクタ２は、本実施形態では、３極のコネクタであり、３本のケーブル３ａ，３ｂ，３ｃに接続されている。本実施形態では、コネクタ２は、厚み方向Ｚ１に対称な形状に形成されている。
【００３０】
また、本実施形態では、ケーブル３ａ，３ｂ，３ｃは、コネクタ２の極数と同じ数設けられている。各ケーブル３ａ，３ｂ，３ｃは、被覆電線である。各ケーブル３ａ，３ｂ，３ｃの一端部は、コネクタ２内に配置されている。各ケーブル３ａ，３ｂ，３ｃは、コネクタ２のハウジング１１内からハウジング１１の外部に向けて延びている。各ケーブル３ａ，３ｂ，３ｃは、可撓性を有しており、曲げ変形が可能である。
【００３１】
各ケーブル３ａ，３ｂ，３ｃは、絶縁材料で形成された筒状の被覆部６と、この被覆部６によって被覆された電線７と、を有している。電線７の一端部は、ハウジング１１内において、被覆部６の一端部から露出している。電線７の他端部は、電源の電極などに接触している。各ケーブル３ａ，３ｂ，３ｃの電線７は、一端部と他端部以外の中間部分が、被覆部６に覆われている。
【００３２】
各ケーブル３ａ，３ｂ，３ｃは、コネクタ２に隣接する第１直線状部８と、第１直線状部８に連続する曲げ部９と、曲げ部９に連続する第２直線状部１０と、を有している。
【００３３】
第１直線状部８は、コネクタ２の内部から高さ方向Ｙ１に沿って外部に向けて延びている。曲げ部９は、略９０°に曲げられた曲線形状に形成されている。第２直線状部１０は、長さ方向Ｘ１に沿って延びている。上記の構成により、各ケーブル３ａ，３ｂ，３ｃは、コネクタ２の近傍において、Ｌ字状に配置されている。
【００３４】
コネクタ２は、ハウジング１１と、ハウジング１１に保持された複数のコンタクト１２（コンタクト１２は図４にのみ図示）と、を有している。
【００３５】
コンタクト１２は、コネクタ２の極数と同じ数（本実施形態では、３つ）設けられている。コンタクト１２は、厚み方向Ｚ１に横並びに配置されている。各コンタクト１２は、導電性を有する導電部材であり、対応するケーブル３ａ，３ｂ，３ｃの電線７に接触することで当該電線７と電気的に接続されている。各コンタクト１２は、たとえば、表面にめっき層が形成された金属材料に打ち抜き加工および曲げ加工などを施すことで形成された導電部材である。各コンタクト１２の全体が、ハウジング１１内に配置されている。
【００３６】
ハウジング１１は、合成樹脂等の絶縁材料を用いて形成されている。ハウジング１１は、射出成形等によって、全体が単一の部材で一体に形成された、一体成形品である。本実施形態では、ハウジング１１は、ブロック状に形成されている。
【００３７】
ハウジング１１は、コネクタ接続部１３と、カバー接続部１４と、を有している。
【００３８】
コネクタ接続部１３は、筒状の開口部１３ａを有している。この開口部１３ａには、前述した相手側電気コネクタが挿入されるように構成されている。そして、開口部１３ａに相手側電気コネクタが接続されることで、相手側電気コネクタに含まれる複数のコンタクト（図示せず）が、対応するコンタクト１２に接触する。コネクタ接続部１３とは高さ方向Ｙ１に並ぶようにして、カバー接続部１４が配置されている。カバー接続部１４は、ケーブルカバー４を受けるとともに、当該ケーブルカバー４が固定される部分として設けられている。
【００３９】
図１、図５〜図８を参照して、カバー接続部１４は、筒状の周壁部１５と、この周壁部１５の外周部に形成された対向縁部１６と、周壁部１５の内側に形成されたケーブル通過部１７と、周壁部１５とケーブル通過部１７との間に配置された補強リブ１８と、を有している。
【００４０】
周壁部１５は、高さ方向Ｙ１に沿ってケーブルカバー４側を向く部分であり、ハウジング１１の一端部の一部を形成している。周壁部１５は、本実施形態では、細長い四角筒状に形成されている。
【００４１】
周壁部１５は、厚み方向Ｚ１に延びる一対の第１側壁部１５ａ，１５ａと、これら一対の第１側壁部１５ａ，１５ａとは直交するようにして長さ方向Ｘ１に延びる一対の第２側壁部１５ｃ，１５ｃと、を有している。
【００４２】
一対の第１側壁部１５ａ，１５ａは、互いに平行に延びている。また、一対の第２側壁部１５ｃ，１５ｃは、互いに平行に延びている。一対の第２側壁部１５ｃ，１５ｃは、周壁部１５の外側に向けて突出する一対の係合凸部１５ｅ，１５ｅを有している。
【００４３】
対向縁部１６は、周壁部１５の基端部を、周壁部１５の周方向の全域に亘って取り囲むように形成されている。対向縁部１６は、高さ方向Ｙ１と直交する平面状に形成されている。
【００４４】
ケーブル通過部１７は、ケーブル３ａ，３ｂ，３ｃの数と同じ数設けられており、１つのケーブル通過部１７にケーブル３ａ，３ｂ，３ｃの何れかが通されている。各ケーブル通過部１７は、円筒状に形成されて、高さ方向Ｙ１に延びている。各ケーブル通過部１７は、ハウジング１１のうち、対応するコンタクト１２が収容されている空間に開放されているとともに、ハウジング１１の外部の空間に開放されている。ケーブル通過部１７は、厚み方向Ｚ１に等ピッチで配置されている。また、ケーブル通過部１７は、周壁部１５で囲まれた区間の略中央に配置されている。
【００４５】
また、ケーブル通過部１７と周壁部１５との結合強度を高めるための補強リブ１８が設けられている。補強リブ１８は、ケーブル通過部１７と周壁部１５との間に配置された壁状部分である。補強リブ１８は、一方の第１側壁部１５ａから厚み方向Ｚ１の両端の何れかのケーブル通過部１７の中心へ向けて直線状に延びる２つの壁部と、他方の第１側壁部１５ａから厚み方向Ｚ１の両端の何れかのケーブル通過部１７の中心へ向けて直線状に延びる２つの壁部と、一方の第２側壁部１５ｃから各ケーブル通過部１７の中心へ向けて直線状に延びる１つの壁部と、他方の第２側壁部１５ｃから各ケーブル通過部１７の中心へ向けて直線状に延びる１つの壁部と、を含んでいる。周壁部１５、各ケーブル通過部１７、および、補強リブ１８の先端部は、高さ方向Ｙ１における位置が揃えられており、面一に並んでいる。
【００４６】
上記の構成を有するコネクタ２のカバー接続部１４に、ケーブルカバー４が固定されている。
【００４７】
ケーブルカバー４は、コネクタ２から当該コネクタ２の外部に向けて延びる各ケーブル３ａ，３ｂ，３ｃの向きを案内するために設けられている。より具体的には、ケーブルカバー４は、各ケーブル３ａ，３ｂ，３ｃの第１直線状部８の一部と、曲げ部９の全部と、第２直線状部１０の一部と、を覆う部材として設けられている。
【００４８】
換言すれば、ケーブルカバー４は、ケーブル３ａ，３ｂ，３ｃの曲げ部９の曲げ形状を維持するとともに、ケーブル３ａ，３ｂ，３ｃのうちコネクタ２から突出する部分の一部を保護するように設けられている。ケーブルカバー４は、本実施形態では、全体としてＬ字状に形成されており、各ケーブル３ａ，３ｂ，３ｃを、コネクタ２のケーブル通過部１７とコルゲートチューブ５の一端部５ａとの間で覆っている。
【００４９】
コルゲートチューブ５は、ケーブルカバー４から延びる、可撓性を有する筒状部材であり、各ケーブル３ａ，３ｂ，３ｃの第２直線状部１０など、各ケーブル３ａ，３ｂ，３ｃの一部を収容している。コルゲートチューブ５は、合成樹脂等の絶縁材料を用いて形成されている。コルゲートチューブ５は、射出成形等によって、全体が単一の部材で一体に形成された、一体成形品である。
【００５０】
コルゲートチューブ５は、円筒状の大径部５ｂと、この大径部５ｂの直径よりも小さい直径を有する小径部５ｃと、が交互に配置された形状に形成されており、これにより、コルゲートチューブ５の可撓性が確保されている。コルゲートチューブ５の一端部５ａと、コネクタ２との間に、ケーブルカバー４が配置されることとなる。
【００５１】
ケーブルカバー４は、一対の分割体としての第１分割体２１および第２分割体２２を含んでいる。
【００５２】
ケーブルカバー４は、第１分割体２１と第２分割体２２とが、ケーブル３ａ，３ｂ，３ｃを挟むように互いに組み合わされることで形成されている。
【００５３】
図５〜図８、および、図１０〜図１２を参照して、第１分割体２１は、第１側壁２１ａと、第２側壁２１ｂと、底壁２１ｃと、を有している。
【００５４】
第１側壁２１ａおよび第２側壁２１ｂは、各ケーブル３ａ，３ｂ，３ｃを挟むようにして互いに離隔して延びる側壁部として設けられており、厚み方向Ｚ１と略平行に延びている。第１側壁２１ａは、ハウジング１１のカバー接続部１４側からケーブル３ａ，３ｂ，３ｃと高さ方向Ｙ１に沿って延び、その後、曲げ部９と向かい合うようにしつつ高さ方向Ｙ１に沿ってカバー接続部１４から離隔しながら第２直線状部１０に沿って長さ方向Ｘ１の一方側に延びる傾斜状に延び、その後、第２直線状部１０に沿って長さ方向Ｘ１と略平行に延びている。
【００５５】
第２側壁２１ｂは、ハウジング１１のカバー接続部１４側から各ケーブル３ａ，３ｂ，３ｃと高さ方向Ｙ１に沿って延び、その後、第２直線状部１０に沿って長さ方向Ｘ１と略平行に延びている。底壁２１ｃは、厚み方向Ｚ１における第１側壁２１ａの一端部と第２側壁２１ｂの一端部とを繋ぐ壁部として設けられている。底壁２１ｃは、高さ方向Ｙ１に沿ってカバー接続部１４から離隔するように真っ直ぐに延びた後、高さ方向Ｙ１に沿ってハウジング１１から離隔しながら第２分割体２２側に延びる傾斜状に延び、その後、高さ方向Ｙ１と略平行に延びている。
【００５６】
第２分割体２２は、第１側壁２２ａと、第２側壁２２ｂと、底壁２２ｃと、を有している。
【００５７】
第１側壁２２ａおよび第２側壁２２ｂは、各ケーブル３ａ，３ｂ，３ｃを挟むようにして互いに離隔して延びる側壁部として設けられており、厚み方向Ｚ１と略平行に延びている。第１側壁２２ａは、ハウジング１１のカバー接続部１４側から各ケーブル３ａ，３ｂ，３ｃと高さ方向Ｙ１に沿って延び、その後、曲げ部９と向かい合うようにして高さ方向Ｙ１に沿ってカバー接続部１４から離隔しながら長さ方向Ｘ１の一方側に延びる傾斜状に延び、その後、第２直線状部１０に沿って長さ方向Ｘ１と略平行に延びている。第１分割体２１と第２分割体２２の第１側壁２１ａ，２２ａは、厚み方向Ｚ１に略真っ直ぐに並んでいる。
【００５８】
第２側壁２２ｂは、ハウジング１１のカバー接続部１４側から各ケーブル３ａ，３ｂ，３ｃと高さ方向Ｙ１に沿って延び、その後、第２直線状部１０に沿って長さ方向Ｘ１と略平行に延びている。第１分割体２１と第２分割体２２の第２側壁２２ａ，２２ｂは、厚み方向Ｚ１に略真っ直ぐに並んでいる。底壁２２ｃは、厚み方向Ｚ１における第１側壁２２ａの一端部と第２側壁２２ｂの一端部とを繋ぐ壁部として設けられている。底壁２２ｃは、高さ方向Ｙ１に沿ってカバー接続部１４から離隔するように真っ直ぐに延びた後、高さ方向Ｙ１に沿ってハウジング１１から離隔しつつ第１分割体２１側に延びる傾斜状に延び、その後、高さ方向Ｙ１と略平行に延びている。
【００５９】
第１分割体２１と第２分割体２２は、厚み方向Ｚ１におけるケーブルカバー４の略中央で互いに分かれるように配置されている。より具体的には、第１分割体２１は、第１合わせ面２３を有している。また、第２分割体２２は、第２合わせ面２４を有している。そして、これらの合わせ面２３，２４が、一対の合わせ面２３，２４を形成している。第１分割体２１と第２分割体２２とが組み合わされることで、これらの合わせ面２３，２４が互いに接触する。
【００６０】
第１分割体２１および第２分割体２２は、対応する合わせ面２３，２４から窪んだ形状に形成されていることで、各ケーブル３ａ，３ｂ，３ｃを収容可能に構成されている。また、第１分割体２１および第２分割体２２は、各ケーブル３ａ，３ｂ，３ｃを保持する構成、および、分割体２１，２２同士を固定する構成を有している。
【００６１】
各合わせ面２３，２４は、厚み方向Ｚ１と直交する方向に延びている。各合わせ面２３，２４は、互いに平行である。合わせ面２３，２４は、全体として、コネクタ２のハウジング１１側から高さ方向Ｙ１に沿ってハウジング１１から離隔するように延び、その後、長さ方向Ｘ１に沿って延びる形状に形成されている。
【００６２】
第１合わせ面２３は、複数の部分としての第１部分２３ａ〜第９部分２３ｉを有している。また、第２合わせ面２４は、複数の部分としての第１部分２４ａ〜第９部分２４ｉを有している。そして、第１合わせ面２３の第ｎ（ｎは１〜９までの自然数）部分２３ｎと第２合わせ面２４の第ｎ部分２４ｎとが互いに接触するように構成されている。
【００６３】
第１合わせ面２３の第１部分２３ａ〜第５部分２３ｅは、第１分割体２１の第１側壁２１ａに形成されている。また、第１合わせ面２３の第６部分２３ｆ〜第９部分２３ｉは、第１分割体２１の第２側壁２１ｂに形成されている。同様に、第２合わせ面２４の第１部分２４ａ〜第５部分２４ｅは、第２分割体２２の第１側壁２２ａに形成されている。また、第２合わせ面２４の第６部分２４ｆ〜第９部分２４ｉは、第２分割体２２の第２側壁２１ｂに形成されている。
【００６４】
各第１部分２３ａ，２４ａは、ハウジング１１のカバー接続部１４の対向縁部１６に隣接する部分であり、対向縁部１６と平行に延びている。各第１部分２３ａ，２４ａから対応する第２部分２３ｂ，２４ｂが延びている。
【００６５】
各第２部分２３ｂ，２４ｂは、高さ方向Ｙ１に沿ってハウジング１１から離隔するように真っ直ぐに延びている。そして、各第２部分２３ｂ，２４ｂのうち、第１部分２３ａ，２４ａ寄りの部分から、第３部分２３ｃ，２４ｃが、第１部分２３ａ，２４ａと平行に延びている。各第２部分２３ｂ，２４ｂの一端部に、対応する第４部分２３ｄ，２４ｄが接続されている。
【００６６】
各第４部分２３ｄ，２４ｄは、高さ方向Ｙ１において対応する第３部分２３ｃ，２４ｃから離隔するに従い、長さ方向Ｘ１の一方側であるコルゲートチューブ５側に進む直線状に形成されている。各第４部分２３ｄ，２４ｄの長さは、対応する第３部分２３ｃ，２４ｃの長さよりも短い。また、第１分割体２１の第１側壁２１ａのうち、第２部分２３ｂおよび第４部分２３ｄに隣接する箇所に、防水壁２５が形成されている。
【００６７】
防水壁２５は、合わせ面２３，２４間からケーブルカバー４内へ雨水などの水分が浸入することを抑制するために設けられている。防水壁２５は、第１側壁２１ａの内側面から第２分割体２２側に突出する部分である。この防水壁２５は、たとえば、厚み方向Ｚ１から見て略Ｖ字状に形成されており、第２分割体２２の第１側壁２２ａの対応する箇所における内側面に接触可能である。防水壁２５は、後述する保持凹部５１と長さ方向Ｘ１に並んでいる。各第４部分２３ｄ，２４ｄの一端部に、対応する第５部分２３ｅ，２４ｅが接続されている。
【００６８】
各第５部分２３ｅ，２４ｅは、コルゲートチューブ５側に向けて、長さ方向Ｘ１に沿って延びる直線状に形成されている。各第５部分２３ｅ，２４ｅの長さは、対応する第４部分２３ｄ，２４ｄの長さよりも長い。各第５部分２３ｅ，２４ｅの一端部は、ケーブルカバー４のチューブ用開口部２６に連続している。上記の構成により、第１合わせ面２３の第１部分２３ａ〜第５部分２３ｅによって、略Ｌ字状の合わせ面が形成されている。同様に、第２合わせ面２４の第１部分２４ａ〜第５部分２４ｅによって、略Ｌ字状の合わせ面が形成されている。
【００６９】
各合わせ面２３，２４の第６部分２３ｆ，２４ｆは、ハウジング１１のカバー接続部１４の対向縁部１６に隣接する部分であり、長さ方向Ｘ１に沿って延びている。各第６部分２３ｆ，２４ｆは、対応する第１部分２３ａ，２４ａと長さ方向Ｘ１に沿って一直線上に並んでいる。各第６部分２３ｆ，２４ｆから対応する第７部分２３ｇ，２４ｇが延びている。
【００７０】
各第７部分２３ｇ，２４ｇは、高さ方向Ｙ１に沿ってハウジング１１から離隔するように真っ直ぐに延びており、各第３部分２３ｃ，２４ｃと平行である。そして、各第７部分２３ｇ，２４ｇのうち、第６部分２３ｆ，２４ｆ寄りの部分から、第８部分２３ｈ，２４ｈが延びている。各第８部分２３ｈ，２４ｈは、対応する第３部分２３ｃ，２４ｃと長さ方向Ｘ１に沿って一直線上に並んでいる。各第７部分２３ｇ，２４ｇの一端部に、対応する第９部分２３ｉ，２４ｉが接続されている。
【００７１】
各第９部分２３ｉ，２４ｉは、コルゲートチューブ５側に向けて、長さ方向Ｘ１に沿って延びる直線状に形成されている。各第９部分２３ｉ，２４ｉの長さは、対応する第５部分２３ｅ，２４ｅの長さよりも長い。各第９部分２３ｉ，２４ｉの一端部は、ケーブルカバー４のチューブ用開口部２６に連続している。上記の構成により、第１合わせ面２３の第６部分２３ｆ〜第９部分２３ｉによって、略Ｌ字状の合わせ面が形成されている。同様に、第２合わせ面２４の第６部分２４ｆ〜第９部分２４ｉによって、略Ｌ字状の合わせ面が形成されている。そして、これら第１合わせ面２３および第２合わせ面２４が互いに合わされることで形成された空間に、ケーブル３ａ，３ｂ，３ｃを収容するためのケーブル通路２７が形成されている。
【００７２】
また、第１合わせ面２３および第２合わせ面２４が互いに合わされた状態では、ケーブルカバー４は、コネクタ２のハウジング１１に固定される。
【００７３】
ケーブルカバー４は、ケーブル３ａ，３ｂ，３ｃが配置されるケーブル通路２７と、ハウジング１１のカバー接続部１４に固定される固定部２８と、固定部２８に隣接してケーブル通路２７に配置される通路区画部２９と、コルゲートチューブ５に隣接してケーブル通路２７に配置されるケーブルサポート部３０と、ケーブルサポート部３０に隣接して配置されるチューブ保持部３１と、分割体２１，２２の互いの嵌合状態を確認するための嵌合孔部３２と、水抜き孔部３３ａ，３３ｂと、を有している。
【００７４】
固定部２８は、ケーブルカバー４のうち、高さ方向Ｙ１の一端側部分に設けられている。固定部２８は、コネクタ２のハウジング１１に対して着脱可能に構成されている。
【００７５】
固定部２８は、コネクタ２のハウジング１１の対向縁部１６に受けられる、ケーブルカバー４の一端面としての第１接触面３４ａ，３４ｂ，３４ｃ，３４ｄと、コネクタ２の周壁部１５の先端部に受けられる第２接触面３５ａ，３５ｂと、コネクタ２の周壁部１５の外側面に受けられる第３接触面３６ａ，３６ｂと、コネクタ２の周壁部１５の係合凸部１５ｅ，１５ｅに嵌合する係合孔部３７ａ，３７ｂと、を含んでいる。
【００７６】
第１接触面３４ａ，３４ｂ，３４ｃ，３４ｄは、平坦面であり、ハウジング１１の周壁部１５を取り囲んでいる。第１接触面３４ａ，３４ｂは、第１分割体２１に形成されている。これらの第１接触面３４ａ，３４ｂは、長さ方向Ｘ１に離隔して配置されてＬ字状に形成されており、厚み方向Ｚ１に沿って延びている。
【００７７】
また、第１接触面３４ｃ，３４ｄは、第２分割体２２に形成されている。これらの第１接触面３４ｃ，３４ｄは、長さ方向Ｘ１に離隔して配置されてＬ字状に形成されており、厚み方向Ｚ１に沿って延びている。第１接触面３４ｃ，３４ｄは、対応する第１接触面３４ａ，３４ｂと長さ方向Ｘ１に沿って直線上に並んでいる。
【００７８】
第２接触面３５ａは、第１分割体２１に形成されている。この第２接触面３５ａは、第１分割体２１のうち、第１合わせ面２３の第３部分２３ｃに隣接するリブ状部分３８ａ、第８部分２３ｈに隣接するリブ状部分３８ｂ、および、第１分割体２１に形成されこれらのリブ状部分３８ａ，３８ｂの一端部同士を接続するリブ状部分３８ｃに形成されており、周壁部１５側を向いている。この第２接触面３５ａは、Ｕ字状に形成されており、周壁部１５の第１側壁部１５ａ，１５ａのうちの長さ方向Ｘ１の略半分の先端面と、一方の第２側壁部１５ｃの先端面に接触している。
【００７９】
第２接触面３５ｂは、第２分割体２２に形成されている。この第２接触面３５ｂは、第２分割体２２のうち、第２合わせ面２４の第３部分２４ｃに隣接するリブ状部分３８ｄ、第８部分２４ｈに隣接するリブ状部分３８ｅ、および、第２分割体２２に形成されこれらのリブ状部分３８ｄ，３８ｅの一端部同士を接続するリブ状部分３８ｆに形成されており、周壁部１５側を向いている。この第２接触面３５ｂは、Ｕ字状に形成されており、周壁部１５の第１側壁部１５ａ，１５ａのうちの長さ方向Ｘ１の残りの略半分の先端面と、他方の第２側壁部１５ｃの先端面に接触している。
【００８０】
上記の構成により、第２接触面３５ａ，３５ｂは、全体として周壁部１５の先端面の形状に合致する矩形状の平坦面を形成しており、当該先端部に受けられている。高さ方向Ｙ１において、第１接触面３４ａ，３４ｂ，３４ｃ，３４ｄと第２接触面３５ａ，３５ｂとの間に、第３接触面３６ａ，３６ｂが配置されている。
【００８１】
第３接触面３６ａ，３６ｂは、全体として、周壁部１５の外側面を取り囲む形状に形成されている。第３接触面３６ａは、第１分割体２１に形成されている。この第３接触面３６ａは、Ｕ字状に形成されており、周壁部１５の第１側壁部１５ａ，１５ａのうちの長さ方向Ｘ１の略半分の部分の外側面と、一方の第２側壁部１６ｃの外側面に接触している。
【００８２】
第３接触面３６ｂは、第２分割体２２に形成されている。この第３接触面３６ｂは、Ｕ字状に形成されており、周壁部１５の第１側壁部１５ａ，１５ａのうちの長さ方向Ｘ１の残りの略半分の部分の外側面と、他方の第２側壁部１６ｃの外側面と接触している。
【００８３】
係合孔部３７ａ，３７ｂは、厚み方向Ｚ１におけるケーブルカバー４の両端部に形成されている。係合孔部３７ａは、第１分割体２１の底壁２１ｃに形成されてケーブルカバー４を貫通している。また、係合孔部３７ｂは、第２分割体２２の底壁２２ｃに形成されてケーブルカバー４を貫通している。係合孔部３７ａ，３７ｂは、長さ方向Ｘ１に細長く形成されている。各係合孔部３７ａ，３７ｂは、周壁部１５の対応する係合凸部１５ｅ，１５ｅに挿入されることで、これらの係合凸部１５ｅ，１５ｅに嵌合している。
【００８４】
上記の構成により、第１分割体２１の第１合わせ面２３と第２分割体２２の第２合わせ面２４とが互いに接触するようにこれらの分割体２１，２２が組み合わされると、ケーブルカバー４は、コネクタ２のハウジング１１に固定される。このとき、固定部２８の第１接触面３４ａ，３４ｂ，３４ｃ，３４ｄがカバー接続部１４の対向縁部１６に受けられるとともに、第２接触面３５ａ，３５ｂがカバー接続部１４の周壁部１５の上端部に受けられる。また、第３接触面３６ａ，３６ｂが周壁部１５の外側面に嵌合する。さらに、係合孔部３７ａ，３７ｂがカバー接続部１４の対応する係合凸部１５ｅ，１５ｅに嵌合している。このように、固定部２８は、周壁部１５を取り囲むとともに、コネクタ２の係合孔部３７ａ，３７ｂに嵌合することで、コネクタ２のカバー接続部１４に固定される。
【００８５】
ケーブルカバー４内には、固定部２８からチューブ保持部３１にかけて、各ケーブル３ａ，３ｂ，３ｃの少なくとも一部を収容するケーブル通路２７が形成されている。ケーブル通路２７は、第１分割体２１と第２分割体２２の双方に形成されており、各分割体２１，２２を、対応する合わせ面２３，２４から窪んだ形状に形成することで、当該ケーブル通路２７が設けられている。ケーブル通路２７は、厚み方向Ｚ１に並ぶ各ケーブル３ａ，３ｂ，３ｃが当該ケーブル通路２７内での位置調整を可能な大きさに形成されている。
【００８６】
ケーブル通路２７は、第１通路部４１と、第２通路部４２と、曲げ通路部４３と、を有している。
【００８７】
第１通路部４１は、各ケーブル３ａ，３ｂ，３ｃの第１直線状部８のうち、ケーブルカバー４内に位置する部分を収容するために設けられている。この第１通路部４１は、第１分割体２１および第２分割体２２の合わせ面２３，２４の第２部分２３ｂ，２４ｂと、第７部分２３ｇ，２４ｇと、の間に形成されている。第１通路部４１は、高さ方向Ｙ１に沿って延びている。第１通路部４１のうち、高さ方向Ｙ１の一端部が、ケーブルカバー４の外部に開放されており、ケーブル３ａ，３ｂ，３ｃを受容れる開口部を形成している。第１通路部４１には、通路区画部２９が設けられている。
【００８８】
通路区画部２９は、第１通路部４１の一部を形成するために設けられている。また、通路区画部２９は、ケーブルカバー４に振動が作用したときに、第１分割体２１と第２分割体２２との間で振動が生じることを抑制するために設けられている。通路区画部２９は、第１通路部４１のうち固定部２８に隣接している。
【００８９】
通路区画部２９は、一対の凸部４４ａ，４４ｂと、これら一対の凸部４４ａ，４４ｂに圧入などによって嵌合する一対の凹部４５ａ，４５ｂと、を有している。
【００９０】
一対の凸部４４ａ，４４ｂは、一対の分割体２１，２２の何れか一方としての第２分割体２２に形成されている。一方の凸部４４ａは、第２分割体２２の第１側壁２２ａの内側面から第１分割体２１側に延びている。他方の凸部４４ｂは、第２分割体２２の第２側壁２２ｂの内側面から第１分割体２１側に延びている。各凸部４４ａ，４４ｂは、高さ方向Ｙ１に細長い凸条に形成されている。
【００９１】
一対の凹部４５ａ，４５ｂは、一対の分割体２１，２２の何れか他方としての第１分割体２１に形成されている。一方の凹部４５ａは、第１分割体２１の第１側壁２１ａに形成されている。より具体的には、第１分割体２１には、第１側壁２１ａの内側面に、Ｕ字状の囲い部４６ａが形成されており、この囲い部４６ａと第１側壁２１ａとで、一方の凹部４５ａが形成されている。囲い部４６ａは、第１分割体２１の底壁２１ｃから第２分割体２２側に向けて延びている。また、囲い部４６ａは、コネクタ２のリブ１８に受けられている。
【００９２】
他方の凹部４５ｂは、第１分割体２１の第２側壁２１ｂに形成されている。より具体的には、第１分割体２１には、第２側壁２１ｂの内側面に、Ｕ字状の囲い部４６ｂが形成されており、この囲い部４６ｂと第２側壁２１ｂとで、他方の凹部４５ｂが形成されている。囲い部４６ｂは、第１分割体２１の底壁２１ｃから第２分割体２２側に向けて延びている。また、囲い部４６ｂは、コネクタ２のリブ１８に受けられている。上記の構成を有する第１通路部４１は、曲げ通路部４３に連続している。
【００９３】
曲げ通路部４３は、各ケーブル３ａ，３ｂ，３ｃの曲げ部９が収容される部分として設けられている。この曲げ通路部４３は、第１分割体２１および第２分割体２２の合わせ面２３，２４における第４部分２３ｄ，２４ｄと、第７部分２３ｇ，２４ｇと、第８部分２３ｈ，２４ｈと、の間に形成されている。曲げ通路部４３は、略９０°曲がったＬ字状の通路を形成している。上記の構成を有する曲げ通路部４３は、第２通路部４２と連続している。
【００９４】
第２通路部４２は、各ケーブル３ａ，３ｂ，３ｃの第２直線状部１０の一部が収容される部分として設けられている。この第２通路部４２は、各合わせ面２３，２４の第５部分２３ｅ，２４ｅと、第９部分２３ｉ，２４ｉとの間に形成されている。第２通路部４２は、長さ方向Ｘ１に沿って延びている。第２通路部４２のうち、長さ方向Ｘ１の一端部が、チューブ用開口部２６を形成している。第２通路部４２には、チューブ保持部３１が形成されている。そして、第２通路部４２は、コルゲートチューブ５に収容された状態の各ケーブル３ａ，３ｂ，３ｃの第２直線状部１０を収容している。
【００９５】
チューブ保持部３１は、第２通路部４２のチューブ用開口部２６側に配置されている。チューブ保持部３１は、複数の環状部４７を有している。
【００９６】
環状部４７は、コルゲートチューブ５の小径部５ｃが嵌め込まれる部分として設けられている。環状部４７は、複数（本実施形態では、たとえば、３つ）設けられており、これらの環状部４７が長さ方向Ｘ１に離隔して並んでいる。各環状部４７は、第１分割体２１に形成された半円状部４７ａと、第２分割体２２に形成された半円状部４７ｂと、を有しており、これらの半円状部４７ａ，４７ｂが互いに組合わされることで環状部４７が形成されている。
【００９７】
各半円状部４７ａは、第１分割体２１の第１側壁２１ａ、第２側壁２１ｂ、および、底壁２１ｃで囲まれた空間に配置されており、これら第１側壁２１ａ、第２側壁２１ｂ、および、底壁２１ｃによって支持されている。同様に、各半円状部４７ｂは、第２分割体２２の第１側壁２２ａ、第２側壁２２ｂ、および、底壁２２ｃで囲まれた空間に配置されており、これら第１側壁２２ａ、第２側壁２２ｂ、および、底壁２２ｃによって支持されている。
【００９８】
１つの環状部４７は、ケーブルカバー４の一端に配置されており、コルゲートチューブ５が通過するチューブ用開口部２６を形成している。各環状部４７に、コルゲートチューブ５の対応する小径部５ｃが嵌め込まれている。上記の構成を有するチューブ保持部３１に隣接して、ケーブルカバー４にケーブルサポート部３０が設けられている。
【００９９】
ケーブルサポート部３０は、各ケーブル３ａ，３ｂ，３ｃのうち、曲げ部９と、第２直線状部１０のうち曲げ部９に隣接する箇所として曲げ隣接部１０ａと、を受けるために設けられている。ケーブルサポート部３０は、長さ方向Ｘ１において、概ね、１つのケーブル３ａ，３ｂ，３ｃの直径の約２倍程度の長さを有している。
【０１００】
図５、図６、図９〜図１２を参照して、ケーブルサポート部３０は、保持凹部５１と、保持凹部５１に嵌められる押さえ部５２と、保持凹部５１に隣接するようにして第１通路部４１に配置される直線ガイド部５３と、を有している。
【０１０１】
保持凹部５１は、本実施形態では、一対の分割体２１，２２の一方としての第１分割体２１に設けられている。保持凹部５１は、ケーブル通路２７のうち曲げ通路部４３と第２通路部４２との境界近傍に配置されている。保持凹部５１は、長さ方向Ｘ１に沿って見たときにおいて、Ｕ字状に形成され第２分割体２２側に向けて開放されている。保持凹部５１は、チューブ保持部３１と長さ方向Ｘ１に並んでいる。
【０１０２】
保持凹部５１は、底部５５と、内側柱部５６と、外側柱部５７と、これら底部５５、内側柱部５６および外側柱部５７に形成された受け部５８と、を有している。
【０１０３】
底部５５は、第１分割体２１の第１側壁２１ａ、第２側壁２１ｂ、および、底壁２１ｃに取り囲まれており、これら第１側壁２１ａ、第２側壁２１ｂ、および、底壁２１ｃに支持されている。底部５５は、半円状に窪んだ形状に形成されている。底部５５の一部は、各ケーブル３ａ，３ｂ，３ｃの曲げ部９の湾曲形状の内側部分に配置されている。底部５５のうち、高さ方向Ｙ１の一端部から、内側柱部５６が第２分割体２２側に延びている。
【０１０４】
内側柱部５６は、分割体２１，２２の合わせ面２３，２４のうち第７部分２３ｇ，２４ｇの間、および、第９部分２３ｉ，２４ｉの間に各ケーブル３ａ，３ｂ，３ｃが挟まれることを抑制するために設けられている。また、内側柱部５６は、各分割体２１，２２とコルゲートチューブ５の一端部５ａとの間に各ケーブル３ａ，３ｂ，３ｃが挟まれることを抑制するために設けられている。内側柱部５６は、第１分割体２１の第１合わせ面２３の第９部分２３ｉに隣接しており、この第９部分２３ｉから第２分割体２２側に突出している。
【０１０５】
内側柱部５６は、各ケーブル３ａ，３ｂ，３ｃの曲げ部９に対して、曲げ中心（曲率中心）が配置されている内側に配置されている。すなわち、内側柱部５６は、各ケーブル３ａ，３ｂ，３ｃの曲げ部９の曲げ形状の内側部分に配置されており、曲げ部９に接触している。また、内側柱部５６とコルゲートチューブ５の一端部５ａとの間の隙間は、コルゲートチューブ５の直径未満に設定されている。この内側柱部５６は、コネクタ２へケーブルカバー４が取り付けられた状態において、ケーブル３ａ，３ｂ，３ｃの曲げ部９および曲げ隣接部１０ａに接触するように配置されている。外側柱部５７と、内側柱部５６とは、高さ方向Ｙ１において、ケーブル３ａ，３ｂ，３ｃの直径よりも大きい距離を隔てて並んでいる。
【０１０６】
厚み方向Ｚ１から見て、内側柱部５６は、外側柱部５７と高さ方向Ｙ１に対称に配置されている。外側柱部５７は、底部５５のうち、高さ方向Ｙ１の他端部から、第２分割体２２側に延びている。
【０１０７】
外側柱部５７は、分割体２１，２２の合わせ面２３，２４の第５部分２３ｅ，２４ｅ間に各ケーブル３ａ，３ｂ，３ｃが挟まれることを抑制するために設けられている。また、外側柱部５７は、各分割体２１，２２とコルゲートチューブ５の一端部５ａとの間に各ケーブル３ａ，３ｂ，３ｃが挟まれることを抑制するために設けられている。外側柱部５７は、第１分割体２１の第１合わせ面２３の第５部分２３ｅに隣接しており、この第５部分２３ｅから第２分割体２２側に突出している。
【０１０８】
外側柱部５７は、各ケーブル３ａ，３ｂ，３ｃの曲げ部９に対して、曲げ中心（曲率中心）が配置されている内側とは反対側の外側に配置されている。外側柱部５７とコルゲートチューブ５の一端部５ａとの間の隙間は、コルゲートチューブ５の直径未満に設定されている。底部５５からの内側柱部５６の突出量は、底部５５から外側柱部５７の突出量よりも大きい。
【０１０９】
上記の構成を有する内側柱部５６、底部５５、および、外側柱部５７は、全体として、ケーブル３ａ，３ｂ，３ｃ側を向くＵ字状の内側面５９を形成している。このＵ字状の内側面５９においては、当該Ｕ字形状に沿って、内側柱部５６から底部５５を通って外側柱部５７に至る進行方向の各部において、当該進行方向と直交する断面形状が、同一に形成されている。
【０１１０】
保持凹部５１の内側面５９は、受け部５８を含んでいる。受け部５８は、各ケーブル３ａ，３ｂ，３ｃの曲げ部９および第２直線状部１０を受けるために設けられている。この受け部５８は、曲げ通路部４３における各ケーブル３ａ，３ｂ，３ｃの進行方向に沿って曲面状に延び、且つ、曲げ部９における曲げ形状の内側部分を受けることが可能に構成されている。受け部５８は、厚み方向Ｚ１（すなわち、合わせ面２３，２４が対向する対向方向）において、第１分割体２１の第１合わせ面２３から第２分割体２２に向けて突出している。
【０１１１】
また、厚み方向Ｚ１から見て、受け部５８は、第１合わせ面２３の位置から、ケーブル通路２７の内側に進んだ箇所に配置されている。より具体的には、受け部５８は、第１合わせ面２３のうち第７部分２３ｇおよび第９部分２３ｉで区切られたＬ字状部分に対して、ケーブル通路２７の内側に配置されている。
【０１１２】
受け部５８は、曲線状部６１と、直線状部６２と、を含んでいる。
【０１１３】
曲線状部６１は、各ケーブル３ａ，３ｂ，３ｃの曲げ部９に接触可能な部分として設けられている。曲線状部６１は、受け部５８のうち内側柱部５６から底部５５を通って外側柱部５７へ向かう進行方向と直交する断面において、ケーブル３ａ，３ｂ，３ｃの曲げ部９における曲げの内側部分における曲率半径と略同じ曲率半径を有する、１／４円形状に形成されている。これにより、各ケーブル３ａ，３ｂ，３ｃのうち受け部５８の曲線状部６１に受けられている部分は、略９０°の曲げ形状に維持されている。そして、曲線状部６１のうちチューブ保持部３１寄りの端部が、直線状部６２に連続している。
【０１１４】
直線状部６２は、長さ方向Ｘ１に沿って真っ直ぐに延びる部分として設けられている。直線状部６２は、ケーブル３ａ，３ｂ，３ｃの第２直線状部１０の曲げ隣接部１０ａの外周面を受けている。この構成により、ケーブル３ａ，３ｂ，３ｃは、コルゲートチューブ５内の空間にスムーズに入ることができる。上記の構成を有する保持凹部５１に隣接して、直線ガイド部５３が設けられている。
【０１１５】
直線ガイド部５３は、内側柱部５６に隣接して配置されたＬ字状のＬ字状の柱部分６３の表面に形成された部分である。第１合わせ面２３からの柱部分６３の高さは、第１合わせ面２３からの内側柱部５６の高さよりも低く設定されている。直線ガイド部５３は、第１合わせ面２３から突出するようにして第２分割体２２側に向けて延びている。直線ガイド部５３は、長さ方向Ｘ１と平行に延びる平坦面に形成されている。この直線ガイド部５３は、各ケーブル３ａ，３ｂ，３ｃの第１直線状部８のうち曲げ部９の近傍の箇所を受けるように構成されている。
【０１１６】
また、保持凹部５１の内側柱部５６と外側柱部５７との間に、押さえ部５２が配置されている。押さえ部５２は、各ケーブル３ａ，３ｂ，３ｃのうち保持凹部５１に収容された部分が保持凹部５１から外れないようにするために設けられている。保持凹部５１は、第２分割体２２の底壁２２ｃのうち、保持凹部５１と向かい合う部分に設けられた突起状部分である。押さえ部５２のうち、保持凹部５１側を向く先端面は、底壁２２ｃ側に向けて窪んだ円弧状に形成されている。
【０１１７】
図１、図３、図６および図９を参照して、上記の構成を有する保持凹部５１の内側柱部５６の先端部は、第２分割体２２に形成された嵌合孔部３２に嵌合される。嵌合孔部３２は、第２分割体２２のうち内側柱部５６と対向する箇所に形成されており、厚み方向Ｚ１から見て、内側柱部５６の外形形状に対応する形状に形成されている。各分割体２１，２２の合わせ面２３，２４が互いに合わされた状態において、内側柱部５６は、嵌合孔部３２に圧入固定されている。なお、内側柱部５６と嵌合孔部３２とは、すきまばめによって嵌合されていてもよい。また、外側柱部５７の先端部は、第２分割体２２の第１側壁２２ａと押さえ部５２との間に挟まれている。
【０１１８】
また、ケーブルカバー４には、ケーブル通路２７内に水分が浸入したときに当該水分を排出するための水抜き孔部３３ａ，３３ｂが形成されている。水抜き孔部３３ａは、第１分割体２１の底壁２１ｃのうち、保持凹部５１と長さ方向Ｘ１に並ぶように配置されており、本実施形態では、高さ方向Ｙ１に細長く延びる貫通孔によって形成されている。この水抜き孔部３３ａは、第１側壁２１ａに隣接している。この水抜き孔部３３ａと厚み方向Ｚ１に並ぶようにして、水抜き孔部３３ｂが配置されている。水抜き孔部３３ｂは、第２分割体２２の底壁２２ｃに形成されており、本実施形態では、高さ方向Ｙ１に細長く延びる貫通孔によって形成されている。
【０１１９】
ケーブルカバー４は、一対の分割体２１，２２を互いに固定するロック機構６５を有している。
【０１２０】
ロック機構６５は、第２分割体２２に形成された複数のロック爪部６６ａ〜６６ｅと、第１分割体２１に形成され対応するロック爪部６６ａ〜６６ｅに結合されるロック片部６７ａ〜６７ｅと、を有している。
【０１２１】
各ロック爪部６６ａ〜６６ｅは、たとえば、Ｕ字状に形成されており、第１分割体２１側に向けて延びる一対の片部と、これら一対の片部の先端部間を繋ぐ先端部と、を有している。ロック爪部６６ａ〜６６ｅは、厚み方向Ｚ１から見て、第２分割体２２の外周部に間隔を隔てて配置されている。ロック爪部６６ａ，６６ｂは、それぞれ、固定部２８に隣接する箇所において、第１側壁２１ａおよび第２側壁２１ｂに設けられている。ロック爪部６６ｃは、第１側壁２２ａのうち、第１合わせ面２３の第４部分２３ｄが形成されている箇所に隣接している。ロック爪部６６ｄ，６６ｅは、それぞれ、チューブ保持部３１に隣接する箇所において、第１側壁２２ａおよび第２側壁２２ｂに設けられている。
【０１２２】
各ロック片部６７ａ〜６７ｅは、第１分割体２１の外側面に形成された突起状部分であり、対応するロック爪部６６ａ〜６６ｅの先端部を受けることで、当該ロック爪部６６ａ〜６６ｅに結合されている。
【０１２３】
以上説明したように、本実施形態によると、一対の分割体２１，２２が互いに組み合わされる際、ケーブル３ａ，３ｂ，３ｃは、受け部５８に受けられた状態で、一対の分割体２１，２２内に配置されることが可能である。これにより、一対の分割体２１，２２が互いに組み合わされる際、一対の合わせ面２３，２４の間に各ケーブル３ａ，３ｂ，３ｃが配置されてしまうことを抑制できる。よって、ケーブルカバー４の組立時に各ケーブル３ａ，３ｂ，３ｃが噛み込まれてしまうことを抑制できる。また、受け部５８は、曲げ通路部４３における各ケーブル３ａ，３ｂ，３ｃの進行方向に沿って曲面状に延び且つ曲げ部９における曲げの内側部分を受けることが可能に構成されている。このように、受け部５８は、各ケーブル３ａ，３ｂ，３ｃの曲げ形状に沿って延びるように配置される。よって、各ケーブル３ａ，３ｂ，３ｃと受け部５８とが接触したときにおいて、受け部５８は、各ケーブル３ａ，３ｂ，３ｃの曲げ部９のより広い範囲を受けることができるので、各ケーブル３ａ，３ｂ，３ｃの曲げ部９に高い応力が生じることを抑制できる。これにより、受け部５８から各ケーブル３ａ，３ｂ，３ｃに作用する負荷を低減できる。以上の次第で、ケーブルカバー４の組立時に各ケーブル３ａ，３ｂ，３ｃを噛み込むことを抑制するとともに、ケーブルカバー４内において各ケーブル３ａ，３ｂ，３ｃに作用する負荷を低減できる。
【０１２４】
また、本実施形態によると、受け部５８は、第１分割体２１に形成されるとともに、第１分割体２１の第１合わせ面２３から第２分割体２２側に突出している。この構成によると、一対の分割体２１，２２が互いに組み合わされる際、比較的早いタイミングで、受け部５８が第２分割体２２側の空間に進入することとなる。これにより、一対の合わせ面２３，２４が互いに合わせられるタイミングよりも早いタイミングで、受け部５８が、一対の合わせ面２３，２４間へのケーブル３ａ，３ｂ，３ｃの進入を抑制する障壁として機能することができる。その結果、一対の合わせ面２３，２４によってケーブル３ａ，３ｂ，３ｃが挟まれてしまうことを、より確実に抑制できる。
【０１２５】
また、本実施形態によると、受け部５８は、第１合わせ面２３の位置からケーブル通路２７の内側に進んだ箇所に配置されている。この構成によると、受け部５８は、各合わせ面２３，２４からより離隔された箇所において、各ケーブル３ａ，３ｂ，３ｃを受けることができる。これにより、各ケーブル３ａ，３ｂ，３ｃが一対の合わせ面２３，２４間に挟まれることを、より確実に抑制できる。
【０１２６】
また、本実施形態によると、一対の合わせ面２３，２４が互いに合わされた状態において、受け部５８が形成された内側柱部５６は、第２分割体２２の嵌合孔部３２に嵌合される。すなわち、一対の分割体２１，２２が正常に組み合わされたときに、内側柱部５６が嵌合孔部３２に嵌合されることとなる。一方、一対の分割体２１，２２の合わせ面２３，２４間にケーブル３ａ，３ｂ，３ｃの何れかが挟まったときなどにおいては、一対の分割体２１，２２を正常に組み合わせることができず、内側柱部５６が嵌合孔部３２に対して正規の位置での嵌合を不能となる。よって、内側柱部５６と嵌合孔部３２との嵌合状態の確認を通じて、一対の分割体２１，２２が正常に組み合わされているか否かを、たとえば作業員が目視で確認できる。すなわち、一対の合わせ面２３，２４の間にケーブル３ａ，３ｂ，３ｃが噛み込まれるなどの不正常な組み付け状態が発生した場合に、この不具合を、より確実に作業員に報知できる。
【０１２７】
また、本実施形態によると、内側柱部５６は、嵌合孔部３２に圧入固定されている。この構成によると、受け部５８が形成されている内側柱部５６と嵌合孔部３２との嵌合によって、一対の分割体２１，２２の結合強度をより高くできる。
【０１２８】
また、本実施形態によると、ケーブルカバー４の通路区画部２９における凸部４４ａ，４４ｂと対応する凹部４５ａ，４５ｂとの嵌合によって、一対の分割体２１，２２の結合強度をより高くできる。また、凸部４４ａ，４４ｂと対応する凹部４５ａ，４５ｂとの嵌合によって、一対の分割体２１，２２のうち、互いに接触する部分をより多くできる。これにより、一対の分割体２１，２２間で振動が生じることをより確実に抑制できる。よって、特に、振動が生じる箇所に好適なケーブルカバー４を実現できる。
【０１２９】
以上、本発明の実施形態について説明したけれども、本発明は上述の実施の形態に限られず、特許請求の範囲に記載した限りにおいて様々な変更が可能である。たとえば、次のように変更して実施してもよい。
【０１３０】
（１）上述の本実施形態では、各ケーブル３ａ，３ｂ，３ｃが約９０°曲げられた状態で配置される形態であったけれども、この通りでなくてもよい。各ケーブル３ａ，３ｂ，３ｃの曲げ角度は、９０°未満であってもよいし、９０°より大きくてもよい。
【０１３１】
（２）また、上述の実施形態では、ケーブルカバー４がコネクタ２のハウジング１１に固定される形態を例に説明した。しかしながら、この通りでなくてもよい。たとえば、ケーブルカバー４は、コネクタ２に固定されていなくてもよい。
【０１３２】
（３）また、受け部５８を、第１分割体２１に代えて第２分割体２２に形成してもよい。
【０１３３】
（４）また、通路区画部２９の凸部４４ａ，４４ｂを第１分割体２１に形成するとともに、凹部４５ａ，４５ｂを第２分割体２２に形成してもよい。
【０１３４】
（５）また、上述の実施形態では、ケーブルカバー４に種々の構成が備えられている形態を例に説明した。しかしながら、この通りでなくてもよい。ケーブルカバーは、少なくとも、一対の分割体と、ケーブル通路と、受け部と、を含んでいればよい。
【産業上の利用可能性】
【０１３５】
本発明は、ケーブルカバーとして、広く適用することができる。
【符号の説明】
【０１３６】
２  電気コネクタ
３ａ，３ｂ，３ｃケーブル
４  ケーブルカバー
９  曲げ部
２１，２２  分割体
２３，２４  合わせ面
２７  ケーブル通路
２９  通路区画部
３２  嵌合孔部
４３  曲げ通路部
４４ａ，４４ｂ  凸部
４５ａ，４５ｂ  凹部
５６  内側柱部（一方の分割体に設けられた柱部）
５８  受け部
Ｚ１  厚み方向（対向方向）
【図１】
0006664954.tif 000002
【図２】
0006664954.tif 000003
【図３】
0006664954.tif 000004
【図４】
0006664954.tif 000005
【図５】
0006664954.tif 000006
【図６】
0006664954.tif 000007
【図７】
0006664954.tif 000008
【図８】
0006664954.tif 000009
【図９】
0006664954.tif 000010
【図１０】
0006664954.tif 000011
【図１１】
0006664954.tif 000012
【図１２】
0006664954.tif 000013